(57)【要約】      （修正有）【課題】配管工事の際に使用する配管用固定金物の規格化及び取付方法を統一することにより、施工要領の確定、施工時間の短縮及び資材の調達確保を提供する。【解決手段】配管用継手ＫＴを固定するための金物を、建築物の壁間仕切り内の軽鉄材製の間柱ＬＧＳより支持固定する。この金物は、連結金具Ａ、アングル受け金具Ｂ、固定アングルＣ及び補助板によって構成されている。また、固定アングルＣに、等間隔のカット目地をいれることにより、目視による切断寸法の決定が出来るようにする。また、固定アングルＣとアングル受け金具Ｂは、アングル受け金具Ｃの角部を円柱状にしてアングル受け金具Ｂの固定溝にはめ込み連結固定させる。【選択図】図２
2008038571.tif 000002
【特許請求の範囲】
【請求項１】
配管用継手ＫＴの固定を目的とする金物で、固定場所は図１の建築物の壁間仕切り内であり、この壁間仕切りに使用されている軽鉄材製の間柱ＬＧＳより支持固定するもので、図１のＷＬに対してＫＴの向きを直角に、また堅固に固定する作業を容易に行う事を特徴とする、部品番号Ａと、Ｂと、Ｃと、Ｄと、からなる配管継手固定用金物。
【請求項２】
この固定金物の１部品となる、固定アングルＣの形状について、等間隔のカット目地ｃ２を挿入することにより、目視による切断寸法の決定が出来て且つ、切断する時はｃ２に切断用工具の刃を当てる際、ｃ２がガイド役になり直角に切断出来て切断面のむくれも生ずることはない。また固定アングルＣと金物Ｂの支持方法として、Ｃの角部ｃ１を円柱状にして金物Ｂのｂ１にはめ込み、この作業のみで固定アングルＣと金物Ｂを連結固定させる事を特徴とする請求項１の配管継手固定用金物。
【発明の詳細な説明】
【技術分野】
【０００１】  この発明は、配管工事の際に使用する配管用継手ＫＴの、壁間仕切り内の固定を目的とする専用金物に関する。
【背景技術】
【０００２】  現在の状況として、専用の金物はなく、その都度その時々に調達出来るもの、例えば木材等を利用してＬＧＳに直接当てて、タッピンビス等にて木材を固定した後、配管用継手ＫＴを木材に固定し図２の（い）の様になる。
【発明の開示】
【発明が解決しようとする課題】
【０００３】しかしながら、以上の技術によれば、固定方法もバラバラで唯一固定金物だけが統一することが出来なく、施工要領が定まらないので施工に時間がかかる。配管用継手ＫＴについて説明すると、壁間仕切り内にＫＴを固定しＷＬを取付た後、蛇口等の水栓類をＫＴにねじ込み固定する。この為、ＫＴ本体は確実な固定を要し、更に壁面に対して水栓取付方向が直角に位置する様に取付なければならない。またＫＴに接続される配管は、可とう性を有する架橋ポリエチレン管なので、管自体に支持力は無くＫＴ本体を固定する方法しかない。図２の（い）の場合は、木材を片手で持ちながらもう片方の手で、ビスを打つ専用工具を持ち固定作業を行う。この場合木材を水平に固定しなければならないのだが、手ぶれやビスの打ち込む角度が直角でない場合には、かなりの頻度で固定角度が狂う恐れが生じる。またビスを打ち込む角度が狂うとビスが木材の端部に偏り、木材本体を割ってしまい固定部材としての本来の姿を失う恐れも生じる。
そこで、本発明は、固定金物の規格化及び取付方法を、統一することにより施工要領の確定、施工時間の短縮及び資材の調達確保を提供することを課題とする。
【課題を解決するための手段】
【０００４】  以上の課題を解決するために、第一発明は、配管用継手ＫＴの固定を目的とする金物で、固定場所は図１の建築物の壁間仕切り内であり、この壁間仕切りに使用されている軽鉄材製の間柱ＬＧＳより支持固定するもので、図１のＷＬに対してＫＴの向きを直角に、また堅固に固定する作業を容易に行う事を特徴とする、部品番号Ａと、Ｂと、Ｃと、Ｄと、からなる配管継手固定用金物である。
また、第二発明は、この固定金物の１部品となる、固定アングルＣの形状について、等間隔のカット目地ｃ２を挿入することにより、目視による切断寸法の決定が出来て且つ、切断する際はｃ２に切断用工具の刃を当てることにより、ガイド役になり直角に切断出来て切断面のむくれも生ずることはない。また固定アングルＣと金物Ｂの支持方法として、固定アングル角部ｃ１を円柱状にして金物Ｂのｂ１にはめ込み、この作業のみで固定アングルＣと金物Ｂを連結固定させる事を特徴とする配管継手固定用金物である。
【発明の効果】
【０００５】  第一発明、または第二発明によれば、図３の様に左右のＡとＬＧＳの固定要領は、お互いの角を合わせて正面よりＦを打ち込む。次にＢをＡのａ２に挿入しａ５にて仮固定する。この時、図３のＡの左側上下のａ１部の間にＢの左側のｂ２が収まり、この後取付けるＣの角度は決定される。この角度はＫＴがＷＬに対して直角を成す。次にＣの固定アングルには、図５の様にｃ２のカット目地を５ｃｍ間隔にて挿入し、その効果としては工具を用いず目視のみで切断寸法を決定することが可能で、切断時も工具にてｃ１角部のみの切断で後は手で容易に折る事が出来る。またｃ１角部の形状を円柱型にして、受口となるＢのｂ１部も同じ形状で、入り口はやや狭くしｃ１部を受けられる形状とすることにより、左右のＢにＣを嵌め込む作業のみでＣを固定出来る。そして図６の様にＫＴを任意の位置にＧにより固定する。最後にＫＴの壁間仕切りに対する左右の出入りの位置の決定を、Ｂのｂ３のガイドレールを利用して、出入りの微調整を行うことが出来る。部材Ａと、Ｂは、図３のとおり左右の取付に際して、Ａ，Ｂの形状は同じであるから共用出来る。このＡとＢはＬＧＳの幅６５ｍｍに合わせており、これ以上の幅に対しては図４のＤをＬＧＳの小口に嵌め込み補助する。この一連の部品Ａと、Ｂと、Ｃと、Ｄを、規格化することにより、あらかじめ供給量の確保が出来て、施工要領の統一化により無駄を省く。更に相手となる軽鉄間柱ＬＧＳの特徴を利用した金具の形状、及び固定、角度を確定する作業の簡略化により、施工精度の向上、施工時間の短縮が可能となり、高水準の商品として提供することが可能である。
【発明を実施するための最良の形態】
【０００６】この発明の一実施形態を、図１〜図６に示す。この固定金物を取付ける対象となるものは、図１（あ）（い）の壁間仕切り内部のＬＧＳで、材質は軽鉄材（亜鉛メッキ鋼板）で出来ている。このＬＧＳの形状は、図１のとおり片面は鋼板が巻かれていて、逆面は空間を有し、小口は折り返しており、この字型の形状となっている。このＬＧＳは、建築物の壁間仕切りの材料として広く普及しており、Ｗ寸法は６５ｍｍ〜１００ｍｍの仕様があるが、この固定金物は全てのＷ寸法に対応するものである。【０００７】図２の（あ）は組立後完成斜視図となるが、部品番号Ａ、Ｂ、Ｃ、の３個の部品で構成し、ＬＧＳのＷ寸法６５ｍｍ専用金物となる。他のＷ寸法に対応するには別部品Ｄを併用する。まずＬＧＳのＷ寸法６５ｍｍの場合は、図３中の（あ）（い）の様にＡのａ４よりＬＧＳにＦにて固定する。同じく対面するＬＧＳの空間を有する面の取付も同じく、ドリルネジにて固定する。この段階で両サイドの連結金具は、同じ高さの位置にて固定されている。【０００８】次に、図３のＢのｂ３より、Ａのａ２に挿入する。このｂ３は、Ｂを可動させるために存在し、左右の任意の出入り位置を選択出来る事を特徴とする。そして部品番号ａ５にて締め込み固定する。図３のａ１の内、左側上下のａ１の間に、Ｂのｂ２が収まりａ５締め込み後、アングル受け金具はブレが無く規定の角度を保ち安定する。ａ１の右側上下は、Ｂの固定時の傾きを修正するためのもので、４個のａ１は全て同じ高さとなる。ｂ２は二ヶ所設けているが、左右の取付に対応するために二ヶ所用意している。【０００９】次に、Ｃの取付けであるが図５の様な形状となり、Ｃは樹脂製で、２辺の長さは各々４０ｍｍ、厚みは４ｍｍで、ｃ１はＢのｂ１に嵌り、Ｃの固定に際してはずれ防止の効果を出す。使用前の全長は１ｍ〜２ｍで、状況により最適の寸法に切断して使用する。図５に示しているｃ２は、Ｖ字カットで両面に施し、切断し易く、切断面のむくれを解消するもの。溝の間隔は５ｃｍ前後とし、これにより目視による採寸が容易になる。【００１０】切断したＣを、図５のアングル取付手順の様に、ｃ１を左右のＢのｂ１に嵌め込む。そして図３のｂ３のガイドレールにより、左右の出入り位置の調節が可能で任意の位置にてａ５を締め込み、固定金物のセット完了となる。【００１１】次に図６のとおり、ＫＴを固定していく。ＣにＫＴを乗せ、Ｇにて固定する。この時Ｃの向きはａ１とｂ２の作用により、壁間仕切りＷＬ面に対して直角となる。以上の一連の取付作業により、この発明の用途は完成する。【００１２】以上の説明は、ＬＧＳのＷ寸法６５ｍｍの場合である。他のＷ寸法の場合は、図４のＤを使用する。このＤはＬＧＳのＷ寸法６５ｍｍ以外の各種Ｗ寸法の部材を用意する。図４に示す通りＬＧＳの小口の折り返し部にＤを嵌め込むことにより、何も無い空間に面を提供する。この作業によりＡを取り付けるための下地が完成する。【００１３】そしてＡのａ３のツメを折り、Ｄのｄ１に差込んでａ６部にＤを下げて引っ掛ける。これによりＡはＤから離れることは出来ない。これにより、Ｄの上下の移動を止めて更に、Ａも固定されお互いの動きを制限して、Ａは固定される。以下の取付手順は上記のとおり。【００１４】「実施形態の効果」
この実施形態によれば、供給量の確保、施工要領の規格化、施工時間の短縮、及び確実な固定が確保される。【００１５】「他の実施形態」
ＫＴの継手に限らず他の資材等の固定にも利用出来る。例えば配管自体の固定、補強板等の固定にも利用出来る。
【図面の簡単な説明】
【００１６】
【図１】壁間仕切りの姿図で、（あ）は斜視図で、（い）は平面図である。
【図２】この発明の全体図及び従来固定要領図で、（あ）はこの発明の斜視図で、（い）は従来固定要領の斜視図である。
【図３】この発明の分解図で、（あ）は左側組立後斜視図で、（い）は右側組立後斜視図である。
【図４】部品Ｄの姿図及び取付要領図である。
【図５】部品Ｃの詳細図及び取付要領図である。
【図６】部品ＫＴの取付要領図である
【符号の説明】
【００１７】ＬＧＳ  軽鉄間柱    ＷＬ  壁仕上げ材    ＫＴ  配管用継手
Ａ  連結金具    ａ１  補助ガイド  ａ２  固定ボルト  ａ３  ツメ  ａ４  ビス穴
ａ５  固定ナット    ａ６  台座
Ｂ  アングル受け金具    ｂ１  固定溝    ｂ２  固定ピン    ｂ３  ガイドレール
Ｃ  固定アングル    ｃ１  はまり角    ｃ２  カット目地
Ｄ  補助板    ｄ１  受口
Ｆ  ドリルネジ    Ｇ  タッピンネジ
【図１】
2008038571.tif 000003
【図２】
2008038571.tif 000004
【図３】
2008038571.tif 000005
【図４】
2008038571.tif 000006
【図５】
2008038571.tif 000007
【図６】
2008038571.tif 000008